(57)【要約】【課題】照明装置において、外部に効率的に放熱することにより光源寿命の改善、光出力の効率化等を図ることを目的とする。【解決手段】誘導灯１０の本体カバー１２の下面には開口部が設けられている。誘導灯１０の本体は本体カバー１２の下面が露出するように天井に埋め込まれる。導光板３４，３５は、光の入射面が本体の内側に位置し、光の出射面が本体の外側に位置するように、開口部から突出させて取り付けられる。光源部１４は、導光板３４，３５の入射面に対向するように本体の内側に取り付けられ、導光板３４，３５を介して光を本体の外側に照射する。表示板３６，３７は、導光板３４，３５の出射面から出射される光によって、避難者を誘導するための図柄を表示する。放熱板１６，１７は、光源部１４と本体カバー１２とを熱接続し、光源部１４から発生する熱を本体カバー１２を介して本体の外側に放熱する。【選択図】図５
2010170695.tif 000002
【特許請求の範囲】
【請求項１】
開口面が露出するように天井と壁と床とのいずれかに埋め込まれる本体と、
一部に開口部が設けられ、前記本体の開口面を覆う本体カバーと、
光を入射する入射面と前記入射面から入射した光を出射する出射面とを有する導光板と、
前記導光板が取り付けられ、前記導光板の入射面が前記本体の内側に位置し、前記導光板の出射面が前記本体の外側に位置するように、前記本体カバーの開口部から突出させて前記本体カバー又は前記本体に取り付けられる表示部と、
前記導光板の入射面に対向するように前記本体の内側に取り付けられ、前記導光板を介して光を前記本体の外側に照射する光源部と、
前記光源部に接触し、前記光源部から発生する熱を前記本体カバーに伝導して前記本体の外側に放熱する放熱部とを備えることを特徴とする照明装置。
【請求項２】
前記放熱部は、前記開口部の周囲に沿って前記本体カバーの内側に配設された補強部材と、一方の端部が前記補強部材に固定され、他方の端部が前記光源部に圧接された放熱板とを有し、
前記放熱板は、前記光源部から発生する熱を前記補強部材に伝導し、
前記補強部材は、前記放熱板から伝導された熱を前記本体カバーを介して前記本体の外側に放熱することを特徴とする請求項１に記載の照明装置。
【請求項３】
前記照明装置は、前記導光板を２つ備え、当該２つの導光板の一方である第１導光板の出射面と当該２つの導光板の他方である第２導光板の出射面とは、互いに略反対方向を向いており、
前記光源部は、ＬＥＤが実装された２つの基板と、前記２つの基板を保持する保持部材とを有し、
前記２つの基板の一方である第１基板は、ＬＥＤが実装された面が前記第１導光板の入射面に対向するように、前記本体の内側に取り付けられ、
前記第１基板に実装されたＬＥＤは、前記第１導光板を介して光を前記本体の外側に照射し、
前記２つの基板の他方である第２基板は、ＬＥＤが実装された面が前記第２導光板の入射面に対向するように、前記本体の内側に取り付けられ、
前記第２基板に実装されたＬＥＤは、前記第２導光板を介して光を前記本体の外側に照射し、
前記放熱部は、前記保持部材に接触し、前記光源部から発生する熱を前記保持部材から前記本体カバーに伝導して前記本体の外側に放熱することを特徴とする請求項１又は２に記載の照明装置。
【請求項４】
前記第１基板と前記第２基板とは、いずれも同じ形状を有し、前記保持部材に対称に配置されることを特徴とする請求項３に記載の照明装置。
【請求項５】
前記表示部には、さらに、前記導光板の出射面に設置され、前記導光板の出射面から出射される光によって文字と図柄との少なくともいずれかを表示する表示板が取り付けられることを特徴とする請求項１から４までのいずれかに記載の照明装置。
【発明の詳細な説明】
【技術分野】
【０００１】
本発明は、照明装置に関するものである。本発明は、特に、誘導灯等の表示灯に関するものである。
【背景技術】
【０００２】
従来は光源として冷陰極ランプを用いた誘導灯が主であり、ランプに対する熱の影響を考慮して、ランプ保持部材を樹脂で形成し、外部からの熱の影響をランプに与えない構成にすることが一般的である（例えば、特許文献１参照）。
【先行技術文献】
【特許文献】
【０００３】
【特許文献１】特開２００２−１７０４１１号公報
【発明の概要】
【発明が解決しようとする課題】
【０００４】
最近では、水銀レス、低消費電力といった環境に配慮した光源としてＬＥＤを使用することが増えてきているが、発熱が大きく、熱の影響を受けやすいため、放熱が課題となっている。しかしながら、従来の誘導灯では外部からの遮熱を主目的とした構成をとっているため、光源にＬＥＤを採用した場合、外部に効率的に放熱することが困難である。
【０００５】
本発明は、照明装置において、外部に効率的に放熱することにより光源寿命の改善、光出力の効率化等を図ることを目的とする。
【課題を解決するための手段】
【０００６】
本発明の一の態様に係る照明装置は、
開口面が露出するように天井と壁と床とのいずれかに埋め込まれる本体と、
一部に開口部が設けられ、前記本体の開口面を覆う本体カバーと、
光を入射する入射面と前記入射面から入射した光を出射する出射面とを有する導光板と、
前記導光板が取り付けられ、前記導光板の入射面が前記本体の内側に位置し、前記導光板の出射面が前記本体の外側に位置するように、前記本体カバーの開口部から突出させて前記本体カバー又は前記本体に取り付けられる表示部と、
前記導光板の入射面に対向するように前記本体の内側に取り付けられ、前記導光板を介して光を前記本体の外側に照射する光源部と、
前記光源部に接触し、前記光源部から発生する熱を前記本体カバーに伝導して前記本体の外側に放熱する放熱部とを備えることを特徴とする。
【発明の効果】
【０００７】
本発明の一の態様によれば、照明装置において、放熱部が、光源部と本体カバーとを熱接続し、光源部から発生する熱を本体の外側に効率的に放熱するため、光源寿命の改善、光出力の効率化といった効果を奏する。
【図面の簡単な説明】
【０００８】
【図１】本発明の実施の形態１に係る誘導灯の上面図、左側面図、正面図、右側面図、底面図である。
【図２】本発明の実施の形態１に係る誘導灯の分解斜視図である。
【図３】本発明の実施の形態１に係る誘導灯の分解斜視図である。
【図４】本発明の実施の形態１に係る誘導灯の分解斜視図である。
【図５】本発明の実施の形態１における図１のＡ−Ａ断面図である。
【図６】本発明の実施の形態１に係る誘導灯の本体カバーの斜視図、分解斜視図である。
【図７】本発明の実施の形態１に係る誘導灯の光源部の斜視図、正面図、左側面図、底面図、背面図である。
【図８】本発明の実施の形態１に係る誘導灯の光源部の分解斜視図である。
【図９】本発明の実施の形態２に係る誘導灯の分解斜視図である。
【図１０】本発明の実施の形態２における図１のＡ−Ａ断面図である。
【図１１】本発明の実施の形態３に係る誘導灯の光源部の斜視図、背面図、左側面図、底面図、正面図である。
【図１２】本発明の実施の形態３に係る誘導灯の光源部の分解斜視図である。
【発明を実施するための形態】
【０００９】
以下、本発明の実施の形態について、図を用いて説明する。
【００１０】
実施の形態１．
図１（ａ）は本実施の形態に係る誘導灯１０の上面図、図１（ｂ）は誘導灯１０の左側面図、図１（ｃ）は誘導灯１０の正面図、図１（ｄ）は誘導灯１０の右側面図、図１（ｅ）は誘導灯１０の底面図である。
【００１１】
誘導灯１０は、主に、本体１１、本体カバー１２、表示部１３で構成されている。誘導灯１０は、天井に本体１１が埋め込まれる表示灯の具体例の１つである。誘導灯１０の詳細な構成については後述する。
【００１２】
図２（ａ）、図２（ｂ）、図３、図４は誘導灯１０の分解斜視図である。
【００１３】
図２（ａ）は、本体１１から本体カバー１２及び表示部１３を取り外した状態の誘導灯１０を斜め前上方から見た図である。図２（ｂ）は、同じ状態の誘導灯１０を斜め後ろ上方から見た図である。
【００１４】
光源部１４が取り付けられた表示部１３は、本体カバー１２に乗っかる形で保持される。本体カバー１２及び表示部１３はバネ１５により本体１１に取り付けられる。本体カバー１２は光源部１４の熱を本体１１の外側に放熱する。このように、本実施の形態に係る誘導灯１０は、光源部１４の熱を器具下面の本体カバー１２を介して放熱することを特徴とする。
【００１５】
図３は、図２（ａ）の状態で、さらに表示部１３から光源部１４を取り外した状態の誘導灯１０を斜め前上方から見た図である。なお、図３において本体１１は省略している。
【００１６】
図４は、図３の状態で、さらに本体カバー１２と表示部１３とを分離した状態の誘導灯１０を斜め前下方から見た図である。
【００１７】
図５は図１のＡ−Ａ断面図である。なお、図５において本体１１及び表示部１３の一部は省略している。
【００１８】
本体カバー１２に取り付けられた放熱板１６，１７（熱伝導部材の例）は表示部１３に取り付けられた光源部１４に接触する位置に配設される。このように、本実施の形態に係る誘導灯１０は、光源部１４と本体カバー１２とが熱伝導部材で接続されたことを特徴とする。
【００１９】
以下、本体１１について説明する。
【００２０】
天井に取り付けられる本体１１は板金で箱状に形成されており、取付穴１８（被取付部）、電源挿入孔１９、リブ２０、バネ取付部２１、凸部２２を具備する（図１、図２、図４参照）。本体１１の内側には電源端子台２３（電源接続部）、蓄電池２４、点灯ユニット２５、点検スイッチ部２６が取り付けられる（図４参照）。
【００２１】
図示していないが、本体１１を取り付ける天井には埋込穴が設けられ、天井裏には本体１１を固定するためのボルトが取り付けられている。また、天井裏には電源線やアース線が設置されている。本体１１を天井に取り付ける際には、本体１１を埋込穴に埋め込むとともに、取付穴１８にボルトを差し込み、ナット等で締め付けて固定する。また、電源挿入孔１９から電源線やアース線を本体１１の内側に引き込み、電源端子台２３に接続する。なお、電源線やアース線を保護するため、電源挿入孔１９には保護ブッシュが取り付けられている。
【００２２】
図示していないが、表示部１３には落下防止ひもが取り付けられる。本体１１に本体カバー１２及び表示部１３を取り付ける際には、リブ２０に落下防止ひもを引っ掛けてから、バネ取付部２１にバネ１５を取り付ける。
【００２３】
凸部２２は、本体１１の内側に取り付けられた蓄電池２４や点灯ユニット２５等の出っ張り部分と本体１１の周壁との接触を避けるために設けられている。蓄電池２４は、電源端子台２３及び点灯ユニット２５を介して商用電源により充電を行う。点灯ユニット２５は、通常時には電源端子台２３を介して商用電源により給電されて光源部１４のＬＥＤ２７（光源の例）を点灯させ、非常時（商用電源の停電時）には蓄電池２４により給電されて光源部１４のＬＥＤ２７を点灯させる。また、点灯ユニット２５は、マイクロコンピュータ等の制御部を具備する。点灯ユニット２５は、制御部によりＬＥＤ２７や蓄電池２４の状態をモニタリングする。点検スイッチ部２６は、モニタランプ（例えばＬＥＤ）、点検スイッチ、リモコン信号受光部を具備する。点検スイッチ部２６は、点灯ユニット２５の制御部によりモニタリングされているＬＥＤ２７や蓄電池２４の状態をモニタランプで表示する（例えば、ＬＥＤ２７や蓄電池２４が正常動作中であれば、それぞれに対応するモニタランプを点灯させ、ＬＥＤ２７や蓄電池２４が寿命末期であれば、それぞれに対応するモニタランプを点滅させる）。点灯ユニット２５の制御部は、蓄電池２４を自動的に点検する機能を有している。例えば、点検スイッチ部２６の点検スイッチを長押しすると、点灯ユニット２５の制御部は、強制的又は擬似的に商用電源を遮断して、蓄電池２４の電力で所定時間ＬＥＤ２７を点灯し、そのときに蓄電池２４の電圧が規定電圧以上であれば蓄電池２４が正常な状態であると判断する。一方、そのときに蓄電池２４の電圧が規定電圧未満となった場合（または、所定時間が経過するまでに蓄電池２４の電圧が規定電圧未満となった場合）、蓄電池２４が異常な状態であると判断する。この判断結果はモニタランプで表示する。なお、点検スイッチ部２６は、蓄電池２４の充電開始から所定時間（例えば２４時間）が経過しなければ、上記点検を行わない。これは、蓄電池２４が十分に充電されていないときに蓄電池２４の点検を行っても、正確な点検結果が得られないからである。点検スイッチ部２６は、リモコン信号受光部によりリモートコントローラから各種信号を受信する機能を有している。例えば、点検スイッチ部２６のリモコン信号受光部は、蓄電池２４を自動的に点検するための点検開始信号を受信する。この機能により、点検スイッチ部２６の点検スイッチを押さなくても蓄電池２４を自動的に点検することができる。リモコン信号受光部は、点検開始信号のほか、蓄電池２４を自動的に点検することができるかを確認する確認信号等の特定機能信号を受信してもよい。
【００２４】
なお、本体１１は箱状以外の形状（例えば筒状）に形成されていてもよい。また、本体１１は放熱孔を備えていてもよい。本体１１の周壁には、本体１１の内側に取り付けられた蓄電池２４や点灯ユニット２５等の出っ張り部分との接触を避けるために凸部２２が設けられているが、例えば、その部分を開口して放熱孔としてもよい。この場合、蓄電池２４や点灯ユニット２５等の出っ張り部分は放熱孔から本体１１の外側に突き出ることになるため、凸部２２がある場合と同様に本体１１の周壁との接触を避けることができる。
【００２５】
本実施の形態の変形例として、本体１１を天井ではなく、壁あるいは床に取り付けるようにしてもよい。即ち、本体１１を、壁あるいは床に設けられた埋込穴に埋め込むようにしてもよい。この場合、誘導灯１０は、各図に示したものを左右いずれかに９０度回転あるいは上下反転したものとなり、本体カバー１２及び表示部１３が本体１１の下側ではなく、本体１１の左右いずれか片側あるいは上側に取り付けられることになる。
【００２６】
ＬＥＤ２７が実装された２つの基板２８，２９をアルミニウム合金（例えばＡ１０５０、Ａ５０５２、Ａ６０６３）製のランプホルダ３０に取り付けて構成されている光源部１４は、表示部１３の一部とともに本体１１の内側に収納される（図２〜図５参照）。光源部１４の詳細については後述する。
【００２７】
図６（ａ）及び図６（ｂ）は本体カバー１２の斜視図であり、図６（ｃ）は本体カバー１２の分解斜視図である。なお、図６（ａ）及び図６（ｃ）は、本体カバー１２を斜め後ろ上方から見た図である。図６（ｂ）は、本体カバー１２を斜め前上方から見た図である。
【００２８】
以下、本体カバー１２について説明する。
【００２９】
本体カバー１２は本体１１とほぼ同じ大きさであり、本体１１の下側に取り付けられる（図１、図２参照）。本体カバー１２には補強金具３１（補強板）がスポット溶接されており、補強金具３１にはバネ１５、放熱板１６，１７が取り付けられている（図２〜図６参照）。前述したように、本体１１に本体カバー１２を取り付ける際には、本体１１のバネ取付部２１にバネ１５を取り付ける。放熱板１６は、ネジ３２で補強金具３１の前面側に固定されており、光源部１４と補強金具３１とを熱接続する（図２、図３、図５、図６参照）。放熱板１７は、誘導灯１０の製品寸法誤差を補正できるように（即ち、光源部１４との接触具合を調整可能なように）ツマミネジ３３で補強金具３１の後面側に取り付けられ、光源部１４と補強金具３１とを熱接続する（図２〜図６参照）。放熱板１６，１７はアルミニウム合金（例えばＡ１０５０、Ａ５０５２、Ａ６０６３）製であり、高い熱伝導性を有する。本体カバー１２及び補強金具３１も、例えばＳＰＣＣ（冷間圧延鋼板）により形成されており、熱伝導性を有する。熱放射性を高めるため、本体カバー１２及び補強金具３１には白色塗装が施されている。白色塗装することには、さらに、本体カバー１２や補強金具３１の意匠性が向上するというメリットもある。
【００３０】
上記のように、本実施の形態に係る誘導灯１０は、本体カバー１２に補強板が取り付けられていることを特徴とする。また、本体カバー１２に取り付けられた補強板と光源部１４とが熱伝導部材で接続されたことを特徴とする。さらに、本体カバー１２が白色に塗装された金属であることを特徴とする。
【００３１】
以下、表示部１３について説明する。
【００３２】
表示部１３は導光板３４，３５、表示板３６，３７、表示板ケース３８を具備する（図１〜図５参照）。
【００３３】
導光板３４，３５は、ＰＭＭＡ（ポリメタクリル酸メチル樹脂）、ＰＣ（ポリカーボネート樹脂）等の透明樹脂で形成されている。図示していないが、導光板３４，３５の裏面には、ＰＥＴ（ポリエチレンテレフタレート）フィルム等、シート状の反射部材が配設されており、光源部１４のＬＥＤ２７から照射される光を反射部材により表示板３６，３７の方向に反射させる。また、導光板３４，３５の表面には、拡散シートやプリズムシート等により構成された集光シートが配設されている。表示板３６，３７は、ＰＭＭＡ、ＰＣ等の透明樹脂もしくは白色半透明樹脂で形成されている。表示板３６，３７の表面には、任意の表示内容が印刷されている。本実施の形態では、非常時に避難者を誘導するための図柄が表示されている（図１〜図４参照）。表示板ケース３８は、上側から導光板３４，３５及び表示板３６，３７を嵌め込むことができ、さらに、上部に光源部１４を保持できる構造を有している（図３〜図５参照）。また、表示板ケース３８は、ひも取付穴３９を具備する（図２〜図４参照）。ひも取付穴３９には、落下防止ひもが取り付けられる。
【００３４】
上記のように、本実施の形態に係る誘導灯１０は、表示部１３に複数の表示面を設けたことを特徴とする。また、表示部１３が誘導表示をすることを特徴とする。
【００３５】
図７（ａ）及び図７（ｂ）は光源部１４の斜視図、図７（ｃ）は光源部１４の正面図、図７（ｄ）は光源部１４の左側面図、図７（ｅ）は光源部１４の底面図、図７（ｆ）は光源部１４の背面図である。図８は光源部１４の分解斜視図である。なお、図７（ａ）は、光源部１４を斜め前上方から見た図である。図７（ｂ）は、光源部１４を斜め後ろ上方から見た図である。図７（ｆ）は、上下反転した状態の光源部１４を後ろから見た図である。図８は、同じ状態の光源部１４を斜め前上方から見た図である。
【００３６】
以下、光源部１４について説明する。
【００３７】
光源部１４は、１対の基板２８，２９（ＬＥＤアレイ）、ランプホルダ３０を具備する（図５、図７、図８参照）。基板２８，２９のそれぞれには、２つ以上のＬＥＤ２７が実装されている。基板２８，２９には、コネクタ４０，４１が取り付けられており、本体１１の点灯ユニット２５とケーブルで接続される。基板２８，２９に実装されたＬＥＤ２７は、コネクタ４０，４１を介して点灯ユニット２５により点灯制御される。基板２８，２９は、ランプホルダ３０に対向配置される。基板２８，２９の下には、熱伝導シート４２、絶縁板４３が配置され、基板２８，２９とともにネジ４４でランプホルダ３０に固定される。
【００３８】
上記のように、本実施の形態に係る誘導灯１０は、光源がＬＥＤ２７であることを特徴とする。また、少なくとも２つのＬＥＤ２７を基板２８（又は基板２９）に実装したことを特徴とする。さらに、光源部１４が少なくとも２つの基板２８，２９を使用したことを特徴とする。本実施の形態に係る誘導灯１０は、光源部１４に使用されるＬＥＤアレイが同じ形状であることを特徴とする。また、光源部１４は２つの同じ形状のＬＥＤアレイを使用し、それらを対向させて配置したことを特徴とする。
【００３９】
以上説明したように、本実施の形態に係る誘導灯１０は、本体１１、本体カバー１２、表示部１３、光源部１４、放熱部を備える。表示部１３には、導光板３４，３５、表示板３６，３７が取り付けられる。放熱部は、主に、放熱板１６，１７で構成されている。
【００４０】
本体１１は開口面を有する。本体１１は開口面が露出するように天井（又は壁や床）に埋め込まれる。例えば図４において、本体１１の下面は開口面に相当する。本体カバー１２は本体１１の開口面を覆うように本体１１に取り付けられる。本体カバー１２の一部には開口部４５が設けられている。導光板３４，３５は入射面と出射面とを有する。入射面は光を入射する。出射面は入射面から入射した光を出射する。例えば図５において、導光板３４の上面は入射面に相当し、導光板３４の表面（表示板３６と対向する面）は出射面に相当する。同様に、例えば図５において、導光板３５の上面は入射面に相当し、導光板３５の表面（表示板３７と対向する面）は出射面に相当する。表示部１３は、導光板３４，３５の入射面が本体１１の内側に位置し、導光板３４，３５の出射面が本体１１の外側に位置するように、本体カバー１２の開口部４５から突出させて本体１１に取り付けられる。光源部１４は、導光板３４，３５の入射面に対向するように本体１１の内側に取り付けられ、導光板３４，３５を介して光を本体１１の外側に照射する。表示板３６，３７は、導光板３４，３５の出射面に設置され、導光板３４，３５の出射面から出射される光によって文字と図柄との少なくともいずれかを表示する。即ち、表示板３６，３７は、光源部１４が導光板３４，３５を介して本体１１の外側に照射しようとする光を利用して文字や図柄を表示する。放熱部は、光源部１４に接触し、光源部１４から発生する熱を本体カバー１２に伝導して本体１１の外側に放熱する。
【００４１】
本実施の形態によれば、上記のような構成を採用したことにより、誘導灯１０において、外部に効率的に放熱することができるため、光源寿命の改善、光出力の効率化といった効果を奏する。なお、本実施の形態は、上記のような構成を採用したものであれば、誘導灯１０以外の照明装置についても適用可能である。また、本実施の形態では、誘導灯１０が表示板３６，３７を備えているが、表示板３６，３７がない照明装置にも本実施の形態を適用することができる。
【００４２】
例えば図５に示したように、放熱部は、放熱板１６，１７のほか、補強金具３１（補強部材の例）を有する。補強金具３１は開口部４５の周囲に沿って本体カバー１２の内側に配設されている。放熱板１６，１７の一方の端部は補強金具３１に固定され、放熱板１６，１７の他方の端部は光源部１４に圧接される。放熱板１６，１７は、光源部１４から発生する熱を補強金具３１に伝導する。補強金具３１は、放熱板１６，１７から伝導された熱を本体カバー１２を介して本体１１の外側に放熱する。
【００４３】
このように、本実施の形態では、光源部１４から発せられる熱は放熱板１６，１７を介し、本体カバー１２から放熱される。実験の結果、放熱板１６，１７がなく、本体１１の内側に光源部１４を配置したのみの状態では、光源部１４の温度は８５℃となった。一方、放熱板１６，１７を設置した状態では、本体カバー１２からの放熱によって、光源部１４の温度は６０℃であった。このように、光源部１４の温度が下がることにより、周囲に配置された各部品に対する熱的影響が減少する。また、ＬＥＤ２７の寿命は温度に依存する傾向があるため、光源部１４の温度が下がることにより、ＬＥＤ２７の寿命の改善が図れる。また、ＬＥＤ２７の光出力は温度が上がると低下する傾向があるため、光源部１４の温度が下がることにより、ＬＥＤ２７の光出力の効率化が図れる。
【００４４】
例えば図５に示したように、導光板３４（第１導光板の例）の出射面と導光板３５（第２導光板）の出射面とは、互いに略反対方向を向いている。光源部１４は、ＬＥＤ２７が実装された２つの基板２８，２９、２つの基板２８，２９を保持するランプホルダ３０（保持部材の例）を有する。基板２８（第１基板の例）は、ＬＥＤ２７が実装された面が導光板３４の入射面に対向するように、本体１１の内側に取り付けられる。そして、基板２８に実装されたＬＥＤ２７は導光板３４を介して光を本体１１の外側に照射する。また、基板２９（第２基板）は、ＬＥＤ２７が実装された面が導光板３５の入射面に対向するように、本体１１の内側に取り付けられる。そして、基板２９に実装されたＬＥＤ２７は、導光板３５を介して光を本体１１の外側に照射する。放熱部は、ランプホルダ３０に接触し、光源部１４から発生する熱をランプホルダ３０から本体カバー１２に伝導して本体１１の外側に放熱する。
【００４５】
２つの基板２８，２９は、いずれも同じ形状を有しており、ランプホルダ３０に対称に配置される。
【００４６】
このように、本実施の形態では、ＬＥＤ２７を複数個実装した基板２８，２９を対向配置しているため、複数の表示板３６，３７を有する表示灯を製作する場合、１つの表示板３６を有する表示灯と同じ基板を使用しながら、表示部１３の厚みを抑えることが可能となる（新規に基板を製作することも可能であるが、コストが掛かる、あるいは、部品の在庫管理が必要となる等のデメリットがある）。
【００４７】
また、本実施の形態によれば、本体カバー１２が白色に塗装されているため、放射率が向上し、放熱効果の増大及び意匠性の向上が可能となる。
【００４８】
実施の形態２．
本実施の形態について、主に実施の形態１との差異を説明する。
【００４９】
実施の形態１では、表示部１３は本体カバー１２に保持されており、本体カバー１２と一体になってバネ１５により本体１１に取り付けられていたが、本実施の形態では、表示部１３は本体１１に直接取り付けられる。なお、実施の形態１と同様に、本体カバー１２はバネ１５により本体１１に取り付けられる。
【００５０】
図９は誘導灯１０の分解斜視図である。図９は、本体１１から本体カバー１２を取り外した状態の誘導灯１０を斜め前下方から見た図である。
【００５１】
光源部１４が取り付けられた表示部１３は、表示板ケース３８の左右に突起した部分を本体１１に設けられたケース取付部４６に係合することにより本体１１に取り付けられる。
【００５２】
図１０は図１のＡ−Ａ断面図である。なお、図１０において本体１１及び表示部１３の一部は省略している。
【００５３】
本体カバー１２に取り付けられた放熱板１６，１７には、弾性変形部４７，４８が設けられている。表示部１３が取り付けられた本体１１に、さらに本体カバー１２を取り付けると、放熱板１６，１７の弾性変形部４８，４９が弾性変形して、表示部１３に取り付けられた光源部１４に接触する。これにより、放熱板１６，１７は、実施の形態１と同様に、光源部１４と補強金具３１とを熱接続する。したがって、本実施の形態においても、光源部１４から発生する熱は放熱板１６，１７から補強金具３１に伝導され、さらに補強金具３１から本体カバー１２に伝導されて本体１１の外側に放熱される。そのため、実施の形態１と同様の効果を奏する。
【００５４】
実施の形態３．
本実施の形態について、主に実施の形態１及び２との差異を説明する。
【００５５】
実施の形態１及び２では、誘導灯１０の表示部１３の両面に導光板３４，３５及び表示板３６，３７を配置していたが、本実施の形態では、表示部１３の片面のみに導光板３４及び表示板３６を配置する。本実施の形態では、放熱板１７は使用せず、片側の放熱板１６のみを使用するものとするが、実施の形態１と同様に放熱板１６，１７の両方を使用する構成をとってもよい。
【００５６】
図１１（ａ）及び図１１（ｂ）は光源部１４の斜視図、図１１（ｃ）は光源部１４の背面図、図１１（ｄ）は光源部１４の左側面図、図１１（ｅ）は光源部１４の底面図、図１１（ｆ）は光源部１４の正面図である。図１２は光源部１４の分解斜視図である。なお、図１１（ａ）は、光源部１４を斜め前上方から見た図である。図１１（ｂ）は、上下反転した状態の光源部１４を斜め後ろ上方から見た図である。図１２は、同じ状態の光源部１４を斜め後ろ上方から見た図である。
【００５７】
以下、光源部１４について説明する。
【００５８】
光源部１４は、基板２８（ＬＥＤアレイ）、ランプホルダ３０を具備する（図１１、図１２参照）。基板２８には、２つ以上のＬＥＤ２７が実装されている。基板２８には、コネクタ４０が取り付けられており、本体１１の点灯ユニット２５とケーブルで接続される。基板２８に実装されたＬＥＤ２７は、コネクタ４０を介して点灯ユニット２５により点灯制御される。基板２８の下には、熱伝導シート４２、絶縁板４３が配置され、基板２８とともにネジ４４でランプホルダ３０に固定される。
【００５９】
本実施の形態においても、実施の形態１及び２と同様の効果を奏する。
【符号の説明】
【００６０】
１０  誘導灯、１１  本体、１２  本体カバー、１３  表示部、１４  光源部、１５  バネ、１６，１７  放熱板、１８  取付穴、１９  電源挿入孔、２０  リブ、２１  バネ取付部、２２  凸部、２３  電源端子台、２４  蓄電池、２５  点灯ユニット、２６  点検スイッチ部、２７  ＬＥＤ、２８，２９  基板、３０  ランプホルダ、３１  補強金具、３２  ネジ、３３  ツマミネジ、３４，３５  導光板、３６，３７  表示板、３８  表示板ケース、３９  ひも取付穴、４０，４１  コネクタ、４２  熱伝導シート、４３  絶縁板、４４  ネジ、４５  開口部、４６  ケース取付部、４７，４８  弾性変形部。
【図１】
2010170695.tif 000003
【図２】
2010170695.tif 000004
【図３】
2010170695.tif 000005
【図４】
2010170695.tif 000006
【図５】
2010170695.tif 000007
【図６】
2010170695.tif 000008
【図７】
2010170695.tif 000009
【図８】
2010170695.tif 000010
【図９】
2010170695.tif 000011
【図１０】
2010170695.tif 000012
【図１１】
2010170695.tif 000013
【図１２】
2010170695.tif 000014